【手続補正書】
【提出日】平成19年5月18日(2007.5.18)
【手続補正１】
【補正対象書類名】明細書
【補正対象項目名】特許請求の範囲
【補正方法】変更
【補正の内容】
【特許請求の範囲】
【請求項１】  電子写真プロセスを用いて感光ドラム上にトナー像を形成し、そのトナー像を記録媒体に転写する画像形成を行う画像形成部と、
該画像形成部から搬送された記録媒体を一対の定着加圧回転体により加熱および加圧して前記記録媒体上に画像を定着せしめる定着装置と、
１面目に画像が印刷された前記記録媒体の２面目に印刷するために前記記録媒体を反転する反転機構と、
該反転機構により反転された前記記録媒体を前記画像形成部へ再給紙する再給紙機構と、
前記感光ドラムと前記定着加圧回転体とを独立に回転駆動させる駆動手段と、
前記記録媒体の１面目の印刷に引き続いて該記録媒体の２面目を印刷する場合、前記記録媒体の１面目への画像形成が完了した後、前記駆動手段による前記感光ドラムの回転を停止させ、その後、前記記録媒体の１面目に転写されたトナー像が前記定着装置により定着された後、前記駆動手段による前記定着加圧回転体の回転駆動を停止させ、前記記録媒体の２面目を印刷する前に前記駆動手段による前記感光ドラムおよび前記定着加圧回転体の回転駆動を再開させる制御手段と
を備えたことを特徴とする印刷装置。
【請求項２】  前記制御手段は、前記記録媒体の１面目の印刷に引き続いて該記録媒体の２面目に印刷する場合、前記記録媒体が前記定着装置を通過した後に、前記定着加圧回転体の回転駆動を停止させ、前記記録媒体を反転して再給紙を行い、２面目の印刷のために前記定着加圧回転体の回転駆動を再開させることを特徴とする請求項１に記載の印刷装置。
【請求項３】  前記制御手段は、前記記録媒体の１面目の印刷に引き続いて該記録媒体の２面目を印刷する場合、前記記録媒体の１面目へ画像形成が完了した後に、前記感光ドラムの回転駆動を停止させ、前記記録媒体を反転して再給紙を行い、２面目の印刷のために前記感光ドラムの回転駆動を再開させることを特徴とする請求項１に記載の印刷装置。
【請求項４】  前記制御手段は、前記記録媒体の１面目の印刷に引き続いて該記録媒体の２面目を印刷する場合、前記記録媒体の１面目への画像形成が完了した後に、電子写真プロセスの高圧印加を立ち下げることを特徴とする請求項１に記載の印刷装置。
【請求項５】  前記制御手段は、前記記録媒体の１面目の印刷に引き続いて該記録媒体の２面目を印刷する場合、前記記録媒体の１面目への画像形成が完了した後に、電子写真プロセスの高圧印加を立ち下げて前記感光ドラムの回転駆動を停止させ、前記記録媒体を反転して再給紙を行い、２面目の印刷のために前記感光ドラムの回転駆動を再開させ、前記電子写真プロセスの高圧立ち上げを行うことを特徴とする請求項４に記載の印刷装置。
【請求項６】  前記感光ドラムをレーザ光で走査するために回転するポリゴンミラーをさらに備え、前記記録媒体の１面目の印刷に引き続いて該記録媒体の２面目を印刷する前に前記定着加圧回転体あるいは前記感光ドラムの回転を停止させている時であっても、前記ポリゴンミラーの回転駆動を継続することを特徴とする請求項１〜５のいずれかに記載の印刷装置。
【請求項７】  前記定着加圧回転体を加熱させるヒータの駆動を制御するヒータ駆動制御手段をさらに備え、前記ヒータ駆動制御手段は、前記記録媒体の１面目の印刷に引き続いて該記録媒体の２面目を印刷する前に、前記定着加圧回転体の回転を停止させている期間、ヒータ駆動を行わないことを特徴とする請求項１〜６のいずれかに記載の印刷装置。
【請求項８】  前記定着加圧回転体を加熱させるヒータの駆動を制御するヒータ駆動制御手段をさらに備え、前記ヒータ駆動制御手段は、印刷を行わない待機状態の期間は、前記定着加圧回転体が第１の温度となるように、印刷を行っている印刷状態の期間は、前記定着加圧回転体が第２の温度となるようにヒータの駆動を制御するとともに、前記記録媒体の１面目の印刷に引き続いて該記録媒体の２面目を印刷する前に、前記定着加圧回転体の回転を停止させている期間は、前記定着加圧回転体が第３の温度となるようにヒータの駆動を制御することを特徴とする請求項１〜６のいずれかに記載の印刷装置。
【請求項９】  前記第３の温度は前記第１の温度より高く、前記第２の温度以下であることを特徴とする請求項８に記載の印刷装置。
【請求項１０】  電子写真プロセスを用いて感光ドラム上にトナー像を形成し、そのトナー像を記録媒体に転写する画像形成を行う画像形成部と、
該画像形成部から搬送された記録媒体を一対の定着加圧回転体により加熱および加圧して前記記録媒体上に画像を定着せしめる定着装置と、
１面目に画像が印刷された前記記録媒体の２面目に印刷するために前記記録媒体を反転する反転機構と、
該反転機構により反転された前記記録媒体を再給紙する再給紙機構と、
印刷条件を指定した印刷動作の予約指示に基づいて前記画像形成部、定着装置、反転機構および再給紙機構により実行される印刷動作を予約するとともに予約された印刷動作の印刷条件をメモリに記憶する印刷予約手段と、
前記メモリに記憶された印刷条件で予約された印刷動作を前記画像形成部、定着装置、反転機構および再給紙機構を用いて実行する印刷制御手段と、
前記メモリに記憶された印刷条件に基づいて、前記記録媒体の１面目の印刷に引き続いて該記録媒体の２面目を印刷するかどうかを判断する判断手段と
を備えたことを特徴とする印刷装置。
【請求項１１】  前記判断手段は、１面目の画像形成又は定着の完了時に、次に予約されている印刷動作の印刷条件に基づいて、前記記録媒体の１面目の印刷に引き続いて該記録媒体の２面目を印刷するかどうかを判断することを特徴とする請求項１０に記載の印刷装置。
【請求項１２】  前記印刷制御手段は、さらに、前記記録媒体の１面目の印刷の次に印刷動作が予約されていない場合、当該１面目の印刷終了後、電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、前記感光ドラムをレーザ光で走査するためのポリゴンミラーを回転するスキャナモータの回転駆動の停止を行なって、待機状態へ移行させ、
前記記録媒体の１面目の印刷の次に印刷動作が予約されており、予約されている印刷動作の印刷条件がその記録媒体の２面目への印刷である場合、前記電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、
２面目の再給紙とともに前記感光ドラムの回転駆動再開、前記電子写真プロセスの高圧立ち上げ、前記定着加圧回転体の回転駆動再開を行い、前記定着加圧回転体を加熱させるヒータ駆動の温度を上昇させて２面目の印刷動作へ移行させ、
前記記録媒体の１面目の印刷動作終了時に次に印刷動作が予約されており、予約されている印刷動作の印刷条件がその記録媒体の２面目への印刷ではない場合、前記電子写真プロセスの高圧立ち下げ、前記感光ドラムの回転駆動停止を行うことなく、次に予約されている印刷動作へ移行させることを特徴とする請求項１０又は１１に記載の印刷装置。
【請求項１３】  前記印刷制御手段は、前記記録媒体の１面目の印刷動作終了時に次に実行不可能な印刷動作が予約されている場合、電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、前記感光ドラムをレーザ光で走査するためのスキャナモータの回転駆動を停止して、待機状態へ移行させることを特徴とする請求項１０〜１２のいずれかに記載の印刷装置。
【請求項１４】  前記定着加圧回転体を加熱させるヒータの駆動を制御するヒータ駆動制御手段をさらに備え、前記ヒータ駆動制御手段は、前記記録媒体の１面目の印刷に引き続いて該記録媒体の２面目を印刷する前に、前記定着加圧回転体の回転を停止させている期間、前記ヒータの駆動を行わないことを特徴とする請求項１０〜１３のいずれかに記載の印刷装置。
【請求項１５】  前記定着装置は熱ローラ方式の定着装置であることを特徴とする請求項１〜１４のいずれかに記載の印刷装置。
【請求項１６】  前記定着装置はフィルム加熱方式の定着装置であることを特徴とする請求項１〜１４のいずれかに記載の印刷装置。
【請求項１７】  記録媒体上にトナー像を形成する画像形成部と、
定着加圧回転体を有し、記録媒体上に形成されたトナー像を定着する定着器と、
或る頁に引き続く次頁に関するデータを受けている場合、前記或る頁の画像定着後、少なくとも所定時間定着加圧回転体を回転させる第１モードと、次頁に関するデータを受けているにも拘わらず所定時間を待たずに停止させる第２モードとを有する定着回転制御手段とを備えることを特徴とする印刷装置。
【請求項１８】  前記定着回転制御手段は、前記第２モードでは、前記定着加圧回転体の回転の停止の後、次頁のトナー像定着のために前記定着加圧回転体の回転を再開させることを特徴とする請求項１７に記載の印刷装置。
【請求項１９】  前記或る頁が記録媒体の第１面に対応し、前記次頁がその記録媒体の第２面に対応する場合、前記第２モードが選択されることを特徴とする請求項１８に記載の印刷装置。
【請求項２０】  前記定着加圧回転体が停止している間、前記定着加圧回転体を加熱するヒータをオフ又は前記定着加圧回転体の温度が低くなるように制御されることを特徴とする請求項１７〜１９のいずれかに記載の印刷装置。
【請求項２１】  前記画像形成部は、感光ドラムと該感光ドラムをレーザ光で走査するために回転するポリゴンミラーを有し、前記第２モードで前記定着加圧回転体が停止しているときであっても、前記ポリゴンミラーの回転は継続されることを特徴とする請求項１７〜２０のいずれかに記載の印刷装置。
【請求項２２】  印刷されるべき頁に関するデータは、印刷条件を特定する頁ごとの印刷動作の予約指示であることを特徴とする請求項１７〜２１のいずれかに記載の印刷装置。
【請求項２３】  前記第１モードおよび前記第２モードは、さらに前記予約指示に基づいて選択されることを特徴とする請求項２２に記載の印刷装置。
【請求項２４】  前記定着加圧回転体は、前記画像形成部の回転体とは独立に制御可能であることを特徴とする請求項１７〜１９のいずれかに記載の印刷装置。
【手続補正２】
【補正対象書類名】明細書
【補正対象項目名】００１１
【補正方法】変更
【補正の内容】
【００１１】
本発明は、このような問題に鑑みてなされたもので、その目的とするところは、無駄な電力を消費せず、電子写真感光体および定着加圧回転体の寿命を伸ばすようにした印刷装置を提供することにある。
【手続補正３】
【補正対象書類名】明細書
【補正対象項目名】００１２
【補正方法】変更
【補正の内容】
【００１２】
【課題を解決するための手段】
本発明の第１の側面によれば、本発明にかかる印刷装置は、電子写真プロセスを用いて感光ドラム上にトナー像を形成し、そのトナー像を記録媒体に転写する画像形成を行う画像形成部と、該画像形成部から搬送された記録媒体を一対の定着加圧回転体により加熱および加圧して前記記録媒体上に画像を定着せしめる定着装置と、１面目に画像が印刷された前記記録媒体の２面目に印刷するために前記記録媒体を反転する反転機構と、該反転機構により反転された前記記録媒体を前記画像形成部へ再給紙する再給紙機構と、前記感光ドラムと前記定着加圧回転体とを独立に回転駆動させる駆動手段と、前記記録媒体の１面目の印刷に引き続いて該記録媒体の２面目を印刷する場合、前記記録媒体の１面目への画像形成が完了した後、前記駆動手段による前記感光ドラムの回転を停止させ、その後、前記記録媒体の１面目に転写されたトナー像が前記定着装置により定着された後、前記駆動手段による前記定着加圧回転体の回転駆動を停止させ、前記記録媒体の２面目を印刷する前に前記駆動手段による前記感光ドラムおよび前記定着加圧回転体の回転駆動を再開させる制御手段とを備える。
【手続補正４】
【補正対象書類名】明細書
【補正対象項目名】００１３
【補正方法】変更
【補正の内容】
【００１３】
ここで、前記制御手段は、前記記録媒体の１面目の印刷に引き続いて該記録媒体の２面目に印刷する場合、前記記録媒体が前記定着装置を通過した後に、前記定着加圧回転体の回転駆動を停止させ、前記記録媒体を反転して再給紙を行い、２面目の印刷のために前記定着加圧回転体の回転駆動を再開させるものとすることができる。
【手続補正５】
【補正対象書類名】明細書
【補正対象項目名】００１４
【補正方法】変更
【補正の内容】
【００１４】
ここで、前記制御手段は、前記記録媒体の１面目の印刷に引き続いて該記録媒体の２面目を印刷する場合、前記記録媒体の１面目へ画像形成が完了した後に、前記感光ドラムの回転駆動を停止させ、前記記録媒体を反転して再給紙を行い、２面目の印刷のために前記感光ドラムの回転駆動を再開させるものとすることができる。
【手続補正６】
【補正対象書類名】明細書
【補正対象項目名】００１５
【補正方法】変更
【補正の内容】
【００１５】
また、前記制御手段は、前記記録媒体の１面目の印刷に引き続いて該記録媒体の２面目を印刷する場合、前記記録媒体の１面目への画像形成が完了した後に、電子写真プロセスの高圧印加を立ち下げるものとすることができる。
【手続補正７】
【補正対象書類名】明細書
【補正対象項目名】００１６
【補正方法】変更
【補正の内容】
【００１６】
ここで、前記制御手段は、前記記録媒体の１面目の印刷に引き続いて該記録媒体の２面目を印刷する場合、前記記録媒体の１面目への画像形成が完了した後に、電子写真プロセスの高圧印加を立ち下げて前記感光ドラムの回転駆動を停止させ、前記記録媒体を反転して再給紙を行い、２面目の印刷のために前記感光ドラムの回転駆動を再開させ、前記電子写真プロセスの高圧立ち上げを行うものとすることができる。
【手続補正８】
【補正対象書類名】明細書
【補正対象項目名】００１７
【補正方法】変更
【補正の内容】
【００１７】
また、前記感光ドラムをレーザ光で走査するために回転するポリゴンミラーをさらに備え、前記記録媒体の１面目の印刷に引き続いて該記録媒体の２面目を印刷する前に前記定着加圧回転体あるいは前記感光ドラムの回転を停止させている時であっても、前記ポリゴンミラーの回転駆動を継続するものとすることができる。
【手続補正９】
【補正対象書類名】明細書
【補正対象項目名】００１８
【補正方法】変更
【補正の内容】
【００１８】
また、前記定着加圧回転体を加熱させるヒータの駆動を制御するヒータ駆動制御手段をさらに備え、前記ヒータ駆動制御手段は、前記記録媒体の１面目の印刷に引き続いて該記録媒体の２面目を印刷する前に、前記定着加圧回転体の回転を停止させている期間、ヒータ駆動を行わないものとすることができる。
【手続補正１０】
【補正対象書類名】明細書
【補正対象項目名】００１９
【補正方法】変更
【補正の内容】
【００１９】
また、前記定着加圧回転体を加熱させるヒータの駆動を制御するヒータ駆動制御手段をさらに備え、前記ヒータ駆動制御手段は、印刷を行わない待機状態の期間は、前記定着加圧回転体が第１の温度となるように、印刷を行っている印刷状態の期間は、前記定着加圧回転体が第２の温度となるようにヒータの駆動を制御するとともに、前記記録媒体の１面目の印刷に引き続いて該記録媒体の２面目を印刷する前に、前記定着加圧回転体の回転を停止させている期間は、前記定着加圧回転体が第３の温度となるようにヒータの駆動を制御するものとすることができる。
【手続補正１１】
【補正対象書類名】明細書
【補正対象項目名】００２１
【補正方法】変更
【補正の内容】
【００２１】
このような構成により、本発明は、電子写真感光体（感光ドラム）と定着加圧回転体が独立して回転駆動させられるため、１面目の印刷後に用紙反転して再給紙する期間に、互いに干渉せずに回転駆動を停止させることが可能となる。このため、従来は、互いに干渉していて、この期間に電子写真感光体および定着加圧回転体の回転駆動を停止できない、あるいは停止時間が少なかったのに対して、本発明により電子写真感光体および定着加圧回転体の回転駆動を停止する時間を多く設けることができる。このことによって、無駄な電力を防止するとともに、電子写真感光体および定着加圧回転体の寿命を伸ばすことができる。
【手続補正１２】
【補正対象書類名】明細書
【補正対象項目名】００２２
【補正方法】変更
【補正の内容】
【００２２】
本発明の第２の側面によれば、電子写真プロセスを用いて感光ドラム上にトナー像を形成し、そのトナー像を記録媒体に転写する画像形成を行う画像形成部と、該画像形成部から搬送された記録媒体を一対の定着加圧回転体により加熱および加圧して前記記録媒体上に画像を定着せしめる定着装置と、１面目に画像が印刷された前記記録媒体の２面目に印刷するために前記記録媒体を反転する反転機構と、該反転機構により反転された前記記録媒体を再給紙する再給紙機構と、印刷条件を指定した印刷動作の予約指示に基づいて前記画像形成部、定着装置、反転機構および再給紙機構により実行される印刷動作を予約するとともに予約された印刷動作の印刷条件をメモリに記憶する印刷予約手段と、前記メモリに記憶された印刷条件で予約された印刷動作を前記画像形成部、定着装置、反転機構および再給紙機構を用いて実行する印刷制御手段と、前記メモリに記憶された印刷条件に基づいて、前記記録媒体の１面目の印刷に引き続いて該記録媒体の２面目を印刷するかどうかを判断する判断手段とを備える。
【手続補正１３】
【補正対象書類名】明細書
【補正対象項目名】００２３
【補正方法】変更
【補正の内容】
【００２３】
ここで、前記判断手段は、１面目の画像形成又は定着の完了時に、次に予約されている印刷動作の印刷条件に基づいて、前記記録媒体の１面目の印刷に引き続いて該記録媒体の２面目を印刷するかどうかを判断するものとすることができる。
【手続補正１４】
【補正対象書類名】明細書
【補正対象項目名】００２４
【補正方法】変更
【補正の内容】
【００２４】
また、前記印刷制御手段は、さらに、前記記録媒体の１面目の印刷の次に印刷動作が予約されていない場合、当該１面目の印刷終了後、電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、前記感光ドラムをレーザ光で走査するためのポリゴンミラーを回転するスキャナモータの回転駆動の停止を行なって、待機状態へ移行させ、前記記録媒体の１面目の印刷の次に印刷動作が予約されており、予約されている印刷動作の印刷条件がその記録媒体の２面目への印刷である場合、前記電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、
２面目の再給紙とともに前記感光ドラムの回転駆動再開、前記電子写真プロセスの高圧立ち上げ、前記定着加圧回転体の回転駆動再開を行い、前記定着加圧回転体を加熱させるヒータ駆動の温度を上昇させて２面目の印刷動作へ移行させ、
前記記録媒体の１面目の印刷動作終了時に次に印刷動作が予約されており、予約されている印刷動作の印刷条件がその記録媒体の２面目への印刷ではない場合、前記電子写真プロセスの高圧立ち下げ、前記感光ドラムの回転駆動停止を行うことなく、次に予約されている印刷動作へ移行させるものとすることができる。
【手続補正１５】
【補正対象書類名】明細書
【補正対象項目名】００２５
【補正方法】変更
【補正の内容】
【００２５】
また、前記印刷制御手段は、前記記録媒体の１面目の印刷動作終了時に次に実行不可能な印刷動作が予約されている場合、電子写真プロセスの高圧立ち下げ、前記感光ドラムの回転駆動停止、前記定着加圧回転体の回転駆動停止を行い、前記定着加圧回転体を加熱させるヒータ駆動の温度を低下させ、前記感光ドラムをレーザ光で走査するためのスキャナモータの回転駆動を停止して、待機状態へ移行させるものとすることができる。
【手続補正１６】
【補正対象書類名】明細書
【補正対象項目名】００２６
【補正方法】変更
【補正の内容】
【００２６】
また、前記定着加圧回転体を加熱させるヒータの駆動を制御するヒータ駆動制御手段をさらに備え、前記ヒータ駆動制御手段は、前記記録媒体の１面目の印刷に引き続いて該記録媒体の２面目を印刷する前に、前記定着加圧回転体の回転を停止させている期間、前記ヒータの駆動を行わないものとすることができる。
【手続補正１７】
【補正対象書類名】明細書
【補正対象項目名】００２８
【補正方法】変更
【補正の内容】
【００２８】
また、前記定着装置はフィルム加熱方式の定着装置とすることができる。
本発明の第３の側面によれば、本発明にかかる印刷装置は、本発明にかかる記録媒体上にトナー像を形成する画像形成部と、定着加圧回転体を有し、記録媒体上に形成されたトナー像を定着する定着器と、或る頁に引き続く次頁に関するデータを受けている場合、前記或る頁の画像定着後、少なくとも所定時間定着加圧回転体を回転させる第１モードと、次頁に関するデータを受けているにも拘わらず所定時間を待たずに停止させる第２モードとを有する定着回転制御手段とを備える。
ここで、前記定着回転制御手段は、前記第２モードでは、前記定着加圧回転体の回転の停止の後、次頁のトナー像定着のために前記定着加圧回転体の回転を再開させるものとすることができる。
ここで、前記或る頁が記録媒体の第１面に対応し、前記次頁がその記録媒体の第２面に対応する場合、前記第２モードが選択されるものとすることができる。
また、前記定着加圧回転体が停止している間、前記定着加圧回転体を加熱するヒータをオフ又は前記定着加圧回転体の温度が低くなるように制御されるものとすることができる。
また、前記画像形成部は、感光ドラムと該感光ドラムをレーザ光で走査するために回転するポリゴンミラーを有し、前記第２モードで前記定着加圧回転体が停止しているときであっても、前記ポリゴンミラーの回転は継続されるものとすることができる。
また、印刷されるべき頁に関するデータは、印刷条件を特定する頁ごとの印刷動作の予約指示とすることができる。
ここで、前記第１モードおよび前記第２モードは、さらに前記予約指示に基づいて選択される。
また、前記定着回転体は、前記画像形成部の回転体とは独立に制御可能とすることができる。
【手続補正１８】
【補正対象書類名】明細書
【補正対象項目名】００２９
【補正方法】変更
【補正の内容】
【００２９】
このような構成により、本発明は、１面目を印刷して用紙反転し、再給紙してその２面目を印刷するという用紙反転機構および再給紙機構の搬送路上には１枚だけとなる印刷方法において、１面目を印刷終了して、２面目の印刷があるかどうかは次の予約の印刷条件によって判断できるため、従来のように、２面目の印刷を行わないときでも無駄に印刷準備を継続しておく必要がなくなる。このことによって、無駄な電力を防止するとともに、電子写真感光体および定着加圧回転体の寿命を伸ばすことができる。
【手続補正１９】
【補正対象書類名】明細書
【補正対象項目名】００８５
【補正方法】変更
【補正の内容】
【００８５】
また、１面目に続く印字が中断されたあるいは無い場合においても、準備動作を継続させることなく、すぐに高圧出力停止やヒータの温度低下、感光ドラムおよび定着加圧回転体の回転停止させることが可能となった。この結果、準備動作を継続する手段無しで、両面印刷のスループットを維持したまま、定着加圧回転体の回転時間を短縮することができ定着器の寿命を伸ばすことができ、高圧印加時間と感光ドラムの回転時間を短縮することができ、電子写真感光体の寿命を伸ばすことができた。また、ヒータの温度が高い時間、高圧印加時間、感光ドラムおよび定着加圧回転体の回転時間を短縮できたので、電力の消費も抑えられた。
【手続補正２０】
【補正対象書類名】明細書
【補正対象項目名】０１１０
【補正方法】変更
【補正の内容】
【０１１０】
一方、図１５（ｂ）は、従来例での印字のタイムチャートである。特開平８−３２０６４２号公報の提案にあるように、１面目を印刷して用紙反転し再給紙してその２面目を印刷するという印刷方法において、１面目を印刷終了して、２面目の印刷指示がある場合には、高圧出力を停止させ、ヒータを温度低下させ、感光ドラムの削れ防止および無駄なヒータ電力の使用を防止している。従来例では、感光ドラムおよび定着加圧回転体は独立で駆動できなかったため、画像形成（高圧）と定着（ヒータ）の工程が干渉し、どちらの工程も不要のときにしか、感光ドラムと定着加圧回転体の回転を停止させることができなかった。
【手続補正２１】
【補正対象書類名】明細書
【補正対象項目名】０１２４
【補正方法】変更
【補正の内容】
【０１２４】
実施例３との違いは、両面搬送状態での温調が１７０℃か１８０℃であるかだけである。従って実施例３と同様に、両面搬送中に、高圧出力停止および感光ドラムの回転停止時間と、ヒータ温度低下および定着加圧回転体の回転停止時間を、従来に比べ長く設けることができた。定着加圧回転体の回転時間を短縮することができ、定着器の寿命を伸ばすことができ、高圧印加時間と感光ドラムの回転時間を短縮することができ電子写真感光体の寿命を伸ばすことができた。また、ヒータの温度が高い時間、高圧印加時間、感光ドラムの回転時間、定着加圧回転体の回転時間を短縮できたので、電力の消費も抑えられた。
【手続補正２２】
【補正対象書類名】明細書
【補正対象項目名】０１２９
【補正方法】変更
【補正の内容】
【０１２９】
実施例３との違いは、待機状態および両面搬送状態での温調が１７０℃か、オフであるかだけである。従って実施例３と同様に、両面搬送中に、高圧出力停止および感光ドラムの回転停止時間と、ヒータオフおよび定着加圧回転体の回転停止時間を、従来に比べ長く設けることができた。定着加圧回転体の回転時間を短縮することができ、定着器の寿命を伸ばすことができ、高圧印加時間と感光ドラムの回転時間を短縮することができ電子写真感光体の寿命を伸ばすことができた。また、ヒータのオン時間、高圧印加時間、感光ドラムの回転時間、定着加圧回転体の回転時間を短縮できたので、電力の消費も抑えられた。
【手続補正２３】
【補正対象書類名】明細書
【補正対象項目名】０１３０
【補正方法】変更
【補正の内容】
【０１３０】
【発明の効果】
以上説明したように本発明によれば、印字予約指示を導入したことにより、１面目の印字終了時に、後続の予約状況を確認し、印字シーケンスを最適化することができ、高圧出力時間、ヒータの温度が高い時間、感光ドラムおよび定着加圧回転体の回転時間を短縮することができた。この結果、定着加圧回転体の回転時間の短縮により定着器の寿命を伸ばすことができ、高圧印加時間と感光ドラムの回転時間の短縮により電子写真感光体の寿命を伸ばすことができた。また、高圧出力時間、ヒータの温度が高い時間、感光ドラムおよび定着加圧回転体の回転時間を短縮できたので、電力の消費も抑えられるという効果も得られた。
【手続補正２４】
【補正対象書類名】明細書
【補正対象項目名】０１３１
【補正方法】変更
【補正の内容】
【０１３１】
また、感光ドラムの回転駆動と、定着加圧回転体の回転駆動を、独立に駆動できるようにしたことにより、両面搬送中に、高圧出力停止および感光ドラムの回転停止時間と、ヒータオフおよび定着加圧回転体の回転停止時間を、長く設けることができた。この結果、定着加圧回転体の回転時間の短縮により定着器の寿命を伸ばすことができ、高圧印加時間と感光ドラムの回転時間の短縮により電子写真感光体の寿命を伸ばすことができた。また、高圧出力時間、ヒータの温度が高い時間、感光ドラムおよび定着加圧回転体の回転時間を短縮できたので、電力の消費も抑えられるという効果も得られた。